【手続補正書】
【提出日】平成18年12月8日(2006.12.8)
【手続補正１】
【補正対象書類名】明細書
【補正対象項目名】特許請求の範囲
【補正方法】変更
【補正の内容】
【特許請求の範囲】
【請求項１】  導電性支持体および感光層を有する電子写真感光体において、
該電子写真感光体の表面層が、
下記式（１）で示される構成単位を有する重合体、および、
下記式（２）で示される電荷輸送物質
を含有することを特徴とする電子写真感光体。
【化１】
2001201880.tif 000001
（式（１）中、Ｘは、−ＣＲ３Ｒ４−（ただし、Ｒ３およびＲ４は、各々独立に、水素原子、トリフルオロメチル基、アルキル基、または、アリール基である。）、置換されてもよいシクロアルキリデン基、α，ω−アルキレン基、単結合、−Ｏ−、−Ｓ−、−ＳＯ−、または、−ＳＯ２−である。Ｒ１およびＲ２は、各々独立に、水素原子、ハロゲン原子、置換されてもよいアルキル基、または、アリール基である。ａおよびｂは、各々独立に、０〜４の整数である。）
【化２】
2001201880.tif 000002
（式（２）中、Ｙ１およびＹ２は、各々独立に、置換されてもよいアルキル基、アルケニル基、アラルキル基、アリール基、または、複素環基である。Ｙ３およびＹ４は、各々独立に、水素原子、アルキル基、アルコキシ基、または、ハロゲン原子である。）
【請求項２】  前記式（１）で示される構成単位が、下記式（３）で示される構成単位である請求項１に記載の電子写真感光体。
【化３】
2001201880.tif 000003
【請求項３】  請求項１または２に記載の電子写真感光体と、帯電手段、現像手段およびクリーニング手段からなる群より選ばれる少なくとも１つの手段とを一体に支持し、電子写真装置本体に着脱可能であるプロセスカートリッジ。
【請求項４】  前記帯電手段が接触帯電手段である請求項３に記載のプロセスカートリッジ。
【請求項５】  請求項１または２に記載の電子写真感光体、帯電手段、像露光手段、現像手段および転写手段を備えた電子写真装置。
【請求項６】  前記帯電手段が接触帯電手段である請求項５に記載の電子写真装置。
【手続補正２】
【補正対象書類名】明細書
【補正対象項目名】００２９
【補正方法】変更
【補正の内容】
【００２９】
【化４】
2001201880.tif 000004
（式（１）中、Ｘは、−ＣＲ３Ｒ４−（ただし、Ｒ３およびＲ４は、各々独立に、水素原子、トリフルオロメチル基、アルキル基、または、アリール基である。）、置換されてもよいシクロアルキリデン基、α，ω−アルキレン基、単結合、−Ｏ−、−Ｓ−、−ＳＯ−、または、−ＳＯ２−である。Ｒ１およびＲ２は、各々独立に、水素原子、ハロゲン原子、置換されてもよいアルキル基、または、アリール基である。ａおよびｂは、各々独立に、０〜４の整数である。）
【手続補正３】
【補正対象書類名】明細書
【補正対象項目名】００３０
【補正方法】変更
【補正の内容】
【００３０】
【化５】
2001201880.tif 000005
（式（２）中、Ｙ１およびＹ２は、各々独立に、置換されてもよいアルキル基、アルケニル基、アラルキル基、アリール基、または、複素環基である。Ｙ３およびＹ４は、各々独
立に、水素原子、アルキル基、アルコキシ基、または、ハロゲン原子である。）
【手続補正４】
【補正対象書類名】明細書
【補正対象項目名】００３１
【補正方法】変更
【補正の内容】
【００３１】
本発明の電子写真感光体において、上記式（１）で示される構成単位は、好ましくは、下記式（３）で示される構成単位である。
【手続補正５】
【補正対象書類名】明細書
【補正対象項目名】００３７
【補正方法】変更
【補正の内容】
【００３７】
式（１）において、Ｘは、−ＣＲ３Ｒ４−（ただし、Ｒ３およびＲ４は、各々独立に、水素原子、トリフルオロメチル基、アルキル基、または、アリール基である。）、置換されてもよいシクロアルキリデン基、のα，ω−アルキレン基、単結合、−Ｏ−、−Ｓ−、−ＳＯ−、または、−ＳＯ２−である。アルキル基としては、メチル基、エチル基、プロピル基、ブチル基などが挙げられる。アリール基としては、フェニル基、ナフチル基、アントリル基、フェナントリル基などが挙げられる。シクロアルキリデン基としては、シクロヘキシリデン基、シクロペンチリデン基などが挙げられる。シクロアルキリデン基が有していてもよい置換基としては、メチル基、エチル基などが挙げられる。また、シクロアルキリデン基の置換には、１つ以上のベンゼンと縮合環を形成することも包含される。このような縮合環を形成した基としては、９−フルオレニリデン基が挙げられる。α，ω−アルキレン基としては、エチレン基、プロピレン基などが挙げられる。
【手続補正６】
【補正対象書類名】明細書
【補正対象項目名】００３８
【補正方法】変更
【補正の内容】
【００３８】
また、式（１）において、Ｒ１およびＲ２は、各々独立に、水素原子、ハロゲン原子、置換されてもよいアルキル基またはアリール基であり、ａおよびｂは、各々独立に、０〜４の整数である。ハロゲン原子としては、フッ素原子、塩素原子、臭素原子などが挙げられる。アルキル基としては、メチル基、エチル基、プロピル基、ブチル基などが挙げられる。アリール基としては、フェニル基、ナフチル基などが挙げられる。アルキル基が有していてもよい置換基としては、上記のようなハロゲン原子およびアリール基が挙げられる。アリール基が有していてもよい置換基としては、上記のようなハロゲン原子が挙げられる。ａが２以上の場合、各々のＲ１は、互いに同一でも相違していてもよい。ｂが２以上の場合、各々のＲ２は、互いに同一でも相違していてもよい。
【手続補正７】
【補正対象書類名】明細書
【補正対象項目名】００５０
【補正方法】変更
【補正の内容】
【００５０】
【化７】
2001201880.tif 000006
（式（４）中、Ｘは、−ＣＲ３Ｒ４−（ただし、Ｒ３およびＲ４は、各々独立に、水素原子、トリフルオロメチル基、アルキル基、または、アリール基である。）、置換されてもよいシクロアルキリデン基、α，ω−アルキレン基、単結合、−Ｏ−、−Ｓ−、−ＳＯ−、または、−ＳＯ２−である。Ｒ１およびＲ２は、各々独立に、水素原子、ハロゲン原子、置換されてもよいアルキル基またはアリール基であり、ａおよびｂは、各々独立に、０〜４の整数である。）
【手続補正８】
【補正対象書類名】明細書
【補正対象項目名】００５４
【補正方法】変更
【補正の内容】
【００５４】
式（２）において、Ｙ１およびＹ２は、各々独立に、置換されてもよいアルキル基、アルケニル基、アラルキル基、アリール基、または、複素環基である。アルキル基としては、メチル基、エチル基、プロピル基などが挙げられる。アルケニル基としては、プロペニル基、ブテニル基などが挙げられる。アラルキル基としては、ベンジル基、フェネチル基などが挙げられる。アリール基としては、フェニル基、ナフチル基などが挙げられる。複素環基としては、Ｎ、Ｏ又はＳを有する６員又は５員環基、より具体的にはピリジル基、フリル基、チエニル基などが挙げられる。置換基としては、上記のようなアルキル基、メトキシ基、エトキシ基などのアルコキシ基、フッ素原子、塩素原子、臭素原子などのハロゲン原子が挙げられる。
【手続補正９】
【補正対象書類名】明細書
【補正対象項目名】００５５
【補正方法】変更
【補正の内容】
【００５５】
また、式（２）において、Ｙ３およびＹ４は、各々独立に、水素原子、アルキル基、アルコキシ基、またはハロゲン原子である。アルキル基としては、メチル基、エチル基、プロピル基などが挙げられる。アルコキシ基としては、メトキシ基、エトキシ基などが挙げられる。ハロゲン原子としては、フッ素原子、塩素原子、臭素原子などが挙げられる。
【手続補正１０】
【補正対象書類名】明細書
【補正対象項目名】００７６
【補正方法】変更
【補正の内容】
【００７６】
本発明のプロセスカートリッジは、本発明の電子写真感光体と、帯電手段、現像手段およびクリーニング手段からなる群より選ばれる少なくとも１つの手段とを一体に支持し、電子写真装置本体に着脱可能であるように構成される。電子写真本体は、プロセスカートリッジに含まれない、電子写真プロセスを実施するのに必要なその他の手段を備えるもの
である。
【手続補正１１】
【補正対象書類名】明細書
【補正対象項目名】００８３
【補正方法】変更
【補正の内容】
【００８３】
本発明においては、上述の電子写真感光体１と、帯電手段３、現像手段５およびクリーニング手段９などの構成要素のうち、少なくとも１つの手段とをプロセスカートリッジとして一体に結合して構成し、このプロセスカートリッジを複写機やレーザービームプリンターなどの電子写真装置本体に対して着脱可能に構成してもよい。例えば、帯電手段３、現像手段５およびクリーニング手段９を感光体１と共に一体に支持してカートリッジ化して、装置本体のレール１２などの案内手段を用いて装置本体に着脱可能なプロセスカートリッジ１１とすることができる。